(57)【要約】【課題】  不使用時にはポケット部が閉じてエプロンを好適に折り畳むことができる一方、使用時にはポケット部が立体的に開口することにより食べこぼしを好適に受取ることができるようにした幼児用エプロンを提供する。【解決手段】  フロントシート(2)の前面の下端部に幅方向に延びる上部開口状のポケット部(6)を設けた構成において、前記ポケット部(6)は、フロントシート(2)の前面にポケットシート(7)を重ね合わせ、下縁(8)及び両側縁(9)(9)を相互に縫着することにより形成されている。ポケットシート(7)は、幅方向の両側近傍部にポケット部(6)の内部に向けて折曲されると共に折目を下縁(8)から上縁(11)に至り配置した襠部(13)(13)を形成しており、前記襠部(13)を含んでポケットシート(7)とフロントシート(2)の下縁(8)を相互に縫着されている。【選択図】  図１
0003115111.tif 000002
【実用新案登録請求の範囲】
【請求項１】
ユーザの胸部を被うフロントシート(2)の上端部からユーザの首部を取り巻くように一対の巻回用シートを延設して成るエプロンであり、前記フロントシート(2)の前面の下端部に幅方向に延びる上部開口状のポケット部(6)を設けた構成において、
前記ポケット部(6)は、フロントシート(2)の前面に重ね合わせられたポケットシート(7)により構成され、該ポケットシート(7)とフロントシート(2)の重ねられた下縁(8)及び両側縁(9)(9)を縫着されており、
前記ポケットシート(7)は、幅方向の両側近傍部に前記ポケット部(6)の内部に向けて折曲されると共に折目を下縁(8)から上縁(11)に至り配置した襠部(13)(13)を形成しており、前記襠部(13)を含んでポケットシート(7)とフロントシート(2)の下縁(8)を相互に縫着されて成ることを特徴とする幼児用エプロン。
【請求項２】
ポケットシート(7)は、幅方向の内側から前記襠部(13)(13)に近隣する補助襠部(14)(14)を設けており、該補助襠部(14)は、ポケットシート(7)をポケット部(6)の内部に向けて折曲されると共に折目を下縁(8)から上縁(11)に至らないように形成されており、前記補助襠部(14)を含んでポケットシート(7)とフロントシート(2)の下縁(8)を相互に縫着されて成ることを特徴とする請求項１に記載の幼児用エプロン。
【考案の詳細な説明】
【技術分野】
【０００１】
本考案は、幼児用エプロンに関し、特に、食事中に幼児の食べこぼしを受取るようにフロントシートの下端部に上部開口状のポケット部を設けた構成において、不使用時にはポケット部が閉じてエプロンを好適に折り畳むことができる一方、使用時にはポケット部が立体的に開口することにより食べこぼしを好適に受取ることができるようにしたエプロンを提供するものである。
【背景技術】
【０００２】
従来、幼児用エプロンは、食事中の食べこぼしを受取り可能とするため、フロントシートの下端部に上部開口状のポケット部を設けたものが公知である。
【考案の開示】
【考案が解決しようとする課題】
【０００３】
ところが、従来の幼児用エプロンにおけるポケット部は、単にフロントシートにポケットシートを重ね合わせた状態で、両シートの下縁及び両側縁を逢着した構成に過ぎないため、使用時におけるポケット部の上部開口が小さく、食べこぼしを好適に受取ることができない。
【０００４】
この点に関して、例えば、ポケットシートの上縁の幅方向寸法をフロントシートの幅寸法よりも長く形成しておけば、使用時においてポケットシートの上縁が前方に張出し、これによりポケット部の上部開口を大きく形成することができる。しかしながら、このような構成の場合、不使用時にエプロンを折り畳む際に、フロントシートの幅寸法より長い幅寸法とされたポケットシートがだぶついた余剰部分を有する。このため、エプロンを縦横に折り畳むと、該余剰部分に斜め方向等の独自の皺が形成され、皺を押さえつけた状態で小袋等に収納されるので、皺の部分に折曲癖を賦形してしまい、再度、展開してエプロンを使用する際に、ポケット部の好適な展開を阻害するという問題がある。
【課題を解決するための手段】
【０００５】
本考案は、上記課題を解決した幼児用エプロンを提供するものであり、その手段として構成したところは、ユーザの胸部を被うフロントシートの上端部からユーザの首部を取り巻くように一対の巻回用シートを延設して成るエプロンであり、前記フロントシートの前面の下端部に幅方向に延びる上部開口状のポケット部を設けた構成において、前記ポケット部は、フロントシートの前面に重ね合わせられたポケットシートにより構成され、該ポケットシートとフロントシートの重ねられた下縁及び両側縁を縫着されており、前記ポケットシートは、幅方向の両側近傍部に前記ポケット部の内部に向けて折曲されると共に折目を下縁から上縁に至り配置した襠部を形成しており、前記襠部を含んでポケッとシートとフロントシートの下縁を相互に縫着されて成る点にある。
【０００６】
本考案の実施形態において、ポケットシートは、幅方向の内側から前記襠部に近隣する補助襠部を設けており、該補助襠部は、ポケットシートをポケット部の内部に向けて折曲されると共に折目を下縁から上縁に至らないように形成されており、前記補助襠部を含んでポケッとシートとフロントシートの下縁を相互に縫着されている。
【考案の効果】
【０００７】
本考案によれば、エプロン１を着用した状態で、ポケットシート７の上縁１１を引いてフロントシート２から離間させてやると、襠部１３及び補助襠部１４の折目が展開され、ポケット部６の開口部６ａを開放する。このため、ユーザの食べこぼしは、フロントシート２に沿って落下した後、ポケット部６に好適に受け止められる。
【０００８】
ポケット部６は、襠部１３の折目を展開することによりフロントシート２の前方に張出し、しかも、襠部１３の折目がポケットシート７を下縁８から上縁１１に至る全体を展開することにより、開口部６ａを大きく形成され、開口部６ａを含むポケット部６を前方に向けて立体的に形成するので、フロントシート２に沿って滑落する食べこぼしを好適に受取ることができるという効果がある。
【０００９】
また、このような襠部１３の展開によるポケット部６の立体形成と開口部６ａの張出状開放に加えて、補助襠部１４がポケット部６の底部に位置してポケットシート７を外向きに膨らませるように作用する。従って、補助襠部１４の展開により、ポケット部６の底部近傍を前方に向けて立体的に形成するので、食べこぼしの受取り効果を更に向上する。しかも、使用後、エプロン１を洗浄するに際しても、ポケット部６の底部を補助襠部１４により大きく立体的に膨らませることができるので、該底部の近傍に進入した食べこぼしを容易に除去することができる。
【００１０】
ところで、エプロン１は、暫く使用しないとき、折り畳むことにより収納される。この折り畳みに際して、ポケットシート７は、襠部１３及び補助襠部１４を折り込むことにより、両側縁９、９の間における該ポケットシート７の幅寸法をフロントシート２の幅寸法に合致するので、ポケットシート７にだぶつきによる余剰部分を有しない。従って、フロントシート２及び巻回用シート３、４を縦横に折曲しながら折り畳むときに、ポケットシート７が独自の斜め方向等の皺を形成することはない。このため、再度、エプロン１を使用するため、折り畳み状態から展開したとき、ポケットシート７には、独自の斜め方向等の折曲癖が賦形されていないので、上述のように襠部１３及び補助襠部１４の折目を展開することにより、好適にポケット部６を立体的に膨らませることが可能である。
【考案を実施するための最良の形態】
【００１１】
以下図面に基づいて本考案の好ましい実施形態を詳述する。
【００１２】
図１に示すように、エプロン１は、ユーザの胸部を被うフロントシート２の上端部からユーザの首部を取り巻くように一対の巻回用シート３、４を延設している。尚、図示省略しているが、エプロン１は、コンパクトに折り畳み自在であり、折り畳んだエプロンを収納するための小袋（図示省略）が準備されている。
【００１３】
前記フロントシート２と巻回用シート３、４は、１枚の防水性に優れるシートを裁断することにより形成されており、ユーザの首部の前部に位置して湾曲する首縁部５から該湾曲方向に向けて一対の巻回用シート３、４を延設し、一方の巻回用シート３の長さｗ１を他方の巻回用シート４の長さｗ２に対してｗ１＞ｗ２となるように形成し、両巻回用シート３、４の先端近傍部にユーザの首部の背部で相互に係着する面ファスナー３ａ、４ａを設けている。図例の場合、一方の面ファスナー３ａは、一方の巻回用シート３の裏面に設けられた短片により構成され、他方の面ファスナー４ａは、他方の巻回用シート３の表面に設けられた長片により形成されており、従って、ユーザの首回り長さの相違に応じて、一対の巻回用シート３、４の先端部を重ね合わせた状態で、短片を構成する面ファスナー３ａを長片を構成する面ファスナー４ａの長さ方向の任意個所に係着することができるように構成されている。
【００１４】
前記フロントシート２の前面の下端部には、幅方向に延びるポケット部６が設けられており、該ポケット部６は、上方に開口する開口部６ａを有する。ポケット部６は、フロントシート２の前面に重ね合わせられたポケットシート７により構成され、図２（Ａ）に示すように、該ポケットシート７とフロントシート２の両者の重ねられた下縁８及び両側縁９、９を半折状に折曲されたテープ状の縁シート１０により挟んだ状態でサンドイッチ状に縫着されている。尚、ポケットシート７の開口部６ａを形成する上縁１１にも縁シート１２が縫着されている。
【００１５】
図２（Ａ）ないし図２（Ｄ）に示すように、ポケットシート７は、幅方向の両側近傍部に襠部１３、１３を設けると共に、幅方向の内側から該襠部１３、１３に近隣する補助襠部１４、１４を設けている。
【００１６】
襠部１３は、図２（Ａ）及び図２（Ｂ）に示すように、ポケットシート７をポケット部６の内部に向けて折曲することにより形成され、その折目を下縁８から上縁１１に至り配置しており、該襠部１３を含んでポケットシート７とフロントシート２の両者の下縁８を前記縁シート１０を介して縫着されている。
【００１７】
補助襠部１４は、図２（Ａ）及び図２（Ｃ）に示すように、ポケットシート７をポケット部６の内部に向けて折曲することにより形成されるが、その折目を下縁８から上縁１１に至らないように形成されており、該補助襠部１４を含んでポケットシート７とフロントシート２の両者の下縁８を前記縁シート１０を介して縫着されている。
【００１８】
上記構成に基づくエプロン１によれば、ユーザ（幼児）の首部の前部に首縁部５を沿わせた状態で、一対の巻回用シート３、４を首部の背部に回し、面ファスナー３ａ、４ａを相互に係着することにより着用する。この際、一対の巻回用シート３、４は、湾曲する首縁部５から該湾曲方向に向けて延設されているので、ユーザの首部に好適に巻回される。そして、一対の巻回用シート３、４は、ユーザの首回り長さの相違に応じて、短片を構成する面ファスナー３ａを長片を構成する面ファスナー４ａの長さ方向の任意個所に係着することができる。
【００１９】
エプロン１を着用した状態で、フロントシート２がユーザの胸部を被うので、食べこぼしにより胸部が汚損することを防止する。そして、フロントシート２は、防水性に優れたシート素材により構成されているので、汁物等を透過することはない。
【００２０】
ところで、着用時、ポケットシート７の上縁１１を引いてフロントシート２から離間させてやると、図２（Ｂ）（Ｃ）（Ｄ）に示すように、襠部１３及び補助襠部１４の折目が展開され、ポケット部６の開口部６ａを開放する。このため、ユーザの食べこぼしは、フロントシート２に沿って落下した後、ポケット部６に好適に受け止められる。従って、食べこぼしが床上に落下して床面を汚損することはない。
【００２１】
ポケット部６は、襠部１３の折目を展開することによりフロントシート２の前方に大きく形成され、しかも、襠部１３の折目がポケットシート７の上縁１１を展開するので、開口部６ａも大きく形成され、開口部６ａを含むポケット部６を前方に向けて立体的に形成する。これにより、食べこぼしの受取り効果が向上する。
【００２２】
また、このような襠部１３の展開によるポケット部６の立体形成と開口部６ａの張出状開放に加えて、図２（Ｄ）に示すように、補助襠部１４が下縁８の近傍、即ち、ポケット部６の底部に位置してポケットシート７を外向きに膨らませるように作用する。従って、補助襠部１４の展開により、ポケット部６は、開口部６ａから底部に至るほぼ全体を前方に向けて立体的に形成され、これによりフロントシート２に沿って滑落する食べこぼしを一層受取り易くする。
【００２３】
また、使用後、エプロン１を洗濯等により洗浄するに際して、前述のようにポケット部６を襠部１３及び補助襠部１４により大きく立体的に膨らませることができるので、ポケット部６の底部近傍に進入した食べこぼしを容易に除去することもできる。
【００２４】
ところで、エプロン１は、暫く使用しないとき、折り畳むことにより小袋（図示省略）に収納することができる。この折り畳みに際して、ポケットシート７は、襠部１３及び補助襠部１４を所望の状態に折り込むと、両側縁９、９の間における該ポケットシート７の幅寸法をフロントシート２の幅寸法に合致せしめられる。従って、ポケットシート７は、だぶつきによる余剰部分を有しないので、フロントシート２及び巻回用シート３、４を縦横に折曲しながら折り畳むときに、ポケットシート７が独自の斜め方向等の皺を形成することはない。そこで、再度、エプロン１を使用するため、折り畳み状態から展開したとき、ポケットシート７にのみ独自の斜め方向等の折曲癖が賦形されていないので、上述のように着用後、ポケットシート７の上縁１１を引いてフロントシート２から離間させると共に襠部１３及び補助襠部１４の折目を展開することにより、好適にポケット部６を立体的に膨らませることが可能になる。
【図面の簡単な説明】
【００２５】
【図１】本発明の１実施形態を示す斜視図である。
【図２】本発明の１実施形態を示しており、（Ａ）は要部を示す正面図、（Ｂ）はＢ−Ｂ線の拡大断面図、（Ｃ）はＣ−Ｃ線の拡大断面図、（Ｄ）は要部を示す縦断面図である。
【符号の説明】
【００２６】
１    エプロン
２    フロントシート
３、４  巻回用シート
６    ポケット部
７    ポケットシート
８    下縁
９    側縁
１１    上縁
１３    襠部
１４    補助襠部
【図１】
0003115111.tif 000003
【図２】
0003115111.tif 000004